(57)【特許請求の範囲】
【請求項１】
室内ユニットが天井面に埋め込まれるようにして設置され、該室内ユニットに着脱可能に設けられた吸込グリルをこれに連結された複数のワイヤで吊持するとともに該ワイヤを巻き上げまたは送り出すことにより着脱する天井埋込型空気調和装置であって、
前記ワイヤは、前記吸込グリルの異なる２箇所に設けられたガイド穴に通されて一端を前記室内ユニットに固定され、他端を前記室内ユニットに設けられた巻上機構に接続されており、
前記ガイド穴は、前記吸込グリルに着脱可能なガイド部材に設けられ、
前記ガイド部材は、前記吸込グリルの異なる２箇所に形成された填込み部に該２箇所を通る直線に沿って外側から填め込まれ、各設置箇所において互いに接近し合う方向および吸込グリルから離脱する方向への移動を阻止されるように係止されていることを特徴とする天井埋込型空気調和装置。
【請求項２】
前記ガイド部材または前記填込み部のいずれか一方に突起部が設けられ、前記ガイド部材または前記填込み部の他方にはガイド部材を填込み部に填め込むことで前記突起部を嵌合される被嵌合部が設けられていることを特徴とする請求項１記載の天井埋込型空気調和装置。
【請求項３】
前記室内ユニットには、前記ガイド部材と前記巻上機構との間で前記ワイヤを中継する中継ガイド部材が弾性変形可能な軸部を介して取り付けられていることを特徴とする請求項１または２記載の天井埋込型空気調和装置。
【請求項４】
室内ユニットが天井面に埋め込まれるようにして設置され、該室内ユニットに着脱可能に設けられた吸込グリルをこれに連結された複数のワイヤで吊持するとともに該ワイヤを巻き上げまたは送り出すことにより着脱する天井埋込型空気調和装置であって、
前記ワイヤを巻き上げまたは送り出す巻上機構はモータと該モータによって正逆転されるプーリとを備えており、
前記モータは、前記室内ユニットに設けられたモータケースに収納されるとともにプーリを覆うカバーを室内ユニットに取り付けられることで該カバーによりモータケース内で拘束されて室内ユニットに固定されていることを特徴とする天井埋込型空気調和装置。
【請求項５】
室内ユニットが天井面に埋め込まれるようにして設置され、該室内ユニットに着脱可能に設けられた吸込グリルをこれに連結された複数のワイヤで吊持するとともに該ワイヤを巻き上げまたは送り出すことにより着脱する天井埋込型空気調和装置であって、
前記ワイヤを巻き上げまたは送り出す巻上機構はモータと該モータのシャフトに固定されて正逆転されるプーリとを備えており、
前記シャフトは断面非円形に形成されるとともに該シャフトの先端部には凹部が形成され、前記プーリの中心には前記シャフトを挿嵌される孔が形成されるとともに該孔には挿嵌されたシャフトの凹部に嵌入する弾性変形可能な係止爪が設けられていることを特徴とする天井埋込型空気調和装置。
【発明の詳細な説明】
【０００１】
【発明の属する技術分野】
本発明は、室内ユニットを天井面に埋め込むようにして設置される天井埋込型空気調和装置に関するものである。
【０００２】
【従来の技術】
天井埋込型空気調和装置の室内ユニットの一例を図８に示す。図において、符号１は天井に埋設されたキャビネットであり、その内部には熱交換器２、ファン３、送風用モータ４、導風板５、ドレンパン６等が配置され、さらにキャビネット１にはその下部開口を覆うようにして天井パネル７が取り付けられている。
【０００３】
天井パネル７の中央には吸込口７ａが形成され、さらに吸込口７ａの両側には吹出口７ｂが形成されている。また、吸込口７ａには集塵のためのエアフィルタ８を組み合わされた吸込グリル９が填め込まれている。
【０００４】
この天井埋込型空気調和装置では、送風用モータ４を駆動させてファン３を回転させると、室内の空気が吸込グリル９、エアフィルタ８を通じて吸込口７ａから吸い込まれ、導風板５に案内されてファン３に吸入され付勢される。次いで、付勢された空気は熱交換器２を吹き抜ける過程で冷却または加熱され、所望の状態に調和されて吹出口７ｂから室内に吹き出されるようになっている。
【０００５】
ところで、上記天井埋込型空気調和装置には、エアフィルタ８の交換や吸込グリル９の清掃を簡単に行えるように、吸込グリル９をワイヤで吊り下げて昇降させる機構が設けられている。その構造を図９に示して説明すると、キャビネット１には正逆転可能なモータ１０が固定されており、各モータ１０のシャフトに固定されたプーリ１１にワイヤ１２が巻回され、さらにワイヤ１２の先端が吸込口７ａの四隅に設置されたガイド１３を通して吸込グリル９に固定されている。そして、ワイヤ１２を巻き上げることで吸込グリル９を上昇させて吸込口７ａに填め込み、ワイヤ１２を送り出すことで吸込グリル９を吸込口７ａから外して降下させるようになっている。
【０００６】
【発明が解決しようとする課題】
上記のような構造の天井埋込型空気調和装置においては、次のような問題点が指摘されている。従来の昇降機構では、各モータ１０ごとにワイヤ１２の巻き取りの状態が必ずしも同じにはならず、いずれかのモータ１０についてはワイヤ１２にゆるみが生じることがある。このようにワイヤ１２のいずれかにゆるみが生じると、吸込グリル９を降下させたときに吸込グリル９が傾いてしまう可能性があり、エアフィルタ８の交換や吸込グリル９の清掃作業が行い難くなることがある。また、室内ユニットを天井に据え付ける際、ワイヤ１２にゆるみが生じないように調整を要するため、据付作業に時間がかかるといった問題がある。
【０００７】
本発明は上記の事情に鑑みてなされたものであり、ワイヤのゆるみを防止してメインテナンス作業を行い易くするとともに、据付作業を容易に行うことが可能な天井埋込型空気調和装置を提供することを目的としている。
【０００８】
【課題を解決するための手段】
上記の課題を解決するための手段として、次のような構造の天井埋設型空気調和装置を採用する。すなわち、本発明に係る請求項１記載の天井埋設型空気調和装置は、室内ユニットが天井面に埋め込まれるようにして設置され、該室内ユニットに着脱可能に設けられた吸込グリルをこれに連結された複数のワイヤで吊持するとともに該ワイヤを巻き上げまたは送り出すことにより着脱する天井埋込型空気調和装置であって、前記ワイヤは、前記吸込グリルの異なる２箇所に設けられたガイド穴に通されて一端を前記室内ユニットに固定され、他端を前記室内ユニットに設けられた巻上機構に接続されており、前記ガイド穴は、前記吸込グリルに着脱可能なガイド部材に設けられ、前記ガイド部材は、前記吸込グリルの異なる２箇所に形成された填込み部に該２箇所を通る直線に沿って外側から填め込まれ、各設置箇所において互いに接近し合う方向および吸込グリルから離脱する方向への移動を阻止されるように係止されていることを特徴としている。
【０００９】
この天井埋込型空気調和装置においては、ガイド穴を吸込グリルに着脱可能なガイド部材に設けたことにより、吸込グリルをワイヤから外すことができ、清掃作業が簡単に行えるようになる。また、室内ユニットの据付時において、吸込グリルを別にしてキャビネットの据付作業を実施し、その後吸込グリルをワイヤに取り付けれるようにすれば、据付作業の作業性も向上する。また、ガイド部材を、吸込グリルの異なる２箇所に形成された填込み部に該２箇所を通る直線に沿って外側から填め込み、各設置箇所において互いに接近し合う方向および吸込グリルから離脱する方向への移動を阻止されるように係止する。吸込グリルをワイヤで吊持すると、ワイヤに作用する張力により各ガイド部材にはこれを吸込グリルから離脱させようとする力とお互いを接近させようとする力とが働くので、この２つの力によりガイド部材の移動が阻止されて吸込グリルに強固に固定され、外れ難くなる。
【００１０】
請求項２記載の天井埋設型空気調和装置は、請求項１記載の天井埋込型空気調和装置において、前記ガイド部材または前記填込み部のいずれか一方に突起部が設けられ、前記ガイド部材または前記填込み部の他方にはガイド部材を填込み部に填め込むことで前記突起部を嵌合される被嵌合部が設けられていることを特徴としている。
【００１１】
この天井埋込型空気調和装置においては、ガイド部材または填込み部のいずれか一方に突起部を設け、他方にはガイド部材を填込み部に填め込むことで突起部を嵌合される被嵌合部を設けることにより、突起部と被嵌合部とを正しく組み合わせなければガイド部材が填込み部に填め込めないようにすることが可能となる。これにより、ガイド部材を組み付ける際の誤りが防止される。
【００１２】
請求項３記載の天井埋設型空気調和装置は、請求項１または２記載の天井埋込型空気調和装置において、前記室内ユニットに、前記ガイド部材と前記巻上機構との間で前記ワイヤを中継する中継ガイド部材が弾性変形可能な軸部を介して取り付けられていることを特徴としている。
【００１３】
この天井埋込型空気調和装置においては、ガイド部材と巻上機構との間でワイヤを中継する中継ガイド部材を弾性変形可能な軸部を介して取り付けることにより、ワイヤを巻き上げまたは送り出す際に軸部がダンパとして働いて張力が一定に保たれ、ワイヤの緩みが防止されて吸込グリルの昇降動作が円滑に行えるようになる。また、軸部の長さを適当な長さに設定することでワイヤを巻上機構に偏りなく巻き取らせるようにすることも可能となる。
【００１４】
請求項４記載の天井埋設型空気調和装置は、室内ユニットが天井面に埋め込まれるようにして設置され、該室内ユニットに着脱可能に設けられた吸込グリルをこれに連結された複数のワイヤで吊持するとともに該ワイヤを巻き上げまたは送り出すことにより着脱する天井埋込型空気調和装置であって、前記ワイヤを巻き上げまたは送り出す巻上機構はモータと該モータによって正逆転されるプーリとを備えており、前記モータは、前記室内ユニットに設けられたモータケースに収納されるとともにプーリを覆うカバーを室内ユニットに取り付けられることで該カバーによりモータケース内で拘束されて室内ユニットに固定されていることを特徴としている。
【００１５】
この天井埋込型空気調和装置においては、ワイヤの巻上機構を構成するモータを室内ユニットに設けられたモータケースに収納し、プーリを覆うカバーを室内ユニットに取り付けることで該カバーによりモータケース内で拘束して室内ユニットに固定する。これによると、例えば従来行われていたようにモータそのものをネジ等で固定しなくても、モータがモータケース内で拘束されて固定されるので、モータの固定部の構造が単純化されて部品点数の削減や組み立て作業の簡略化が図れる。
【００１６】
請求項５記載の天井埋設型空気調和装置は、室内ユニットが天井面に埋め込まれるようにして設置され、該室内ユニットに着脱可能に設けられた吸込グリルをこれに連結された複数のワイヤで吊持するとともに該ワイヤを巻き上げまたは送り出すことにより着脱する天井埋込型空気調和装置であって、前記ワイヤを巻き上げまたは送り出す巻上機構はモータと該モータのシャフトに固定されて正逆転されるプーリとを備えており、前記シャフトは断面非円形に形成されるとともに該シャフトの先端部には凹部が形成され、前記プーリの中心には前記シャフトを挿嵌される孔が形成されるとともに該孔には挿嵌されたシャフトの凹部に嵌入する弾性変形可能な係止爪が設けられていることを特徴としている。
【００１７】
この天井埋込型空気調和装置においては、モータのシャフトをプーリ側の孔に挿嵌しシャフト側の凹部に係止爪を嵌入させることで、シャフトにプーリを取り付けることが可能である。これによると、実際の作業としては孔にシャフトを挿嵌させるだけで組み立てが完了するので、部品点数の削減や組み立て作業の簡略化が図れる。また、プーリの脱着も容易に行えるので、メインテナンス性も向上する。
【００１８】
【発明の実施の形態】
本発明に係る天井埋込型空気調和装置の実施形態を図１ないし図７に示して説明する。天井埋込型空気調和装置の室内ユニットの構造を図１に示す。図において、符号１１は天井に埋設されたキャビネットであり、その内部には熱交換器１２、ファン１３、送風用モータ１４、導風板１５、ドレンパン１６等が配置され、さらにキャビネット１１にはその下部開口を覆うようにして天井パネル１７が取り付けられている。
【００１９】
天井パネル１７の中央には矩形の吸込口１７ａが形成され、さらに吸込口１７ａの周囲には、矩形をなす各辺部にそれぞれ対応して横長の吹出口１７ｂが形成されている。
【００２０】
吸込口１７ａには、集塵のためのエアフィルタ１８を組み合わされた吸込グリル１９が填め込まれている。吹出口１７ｂには、調和された空気の吹出方向を変化させる可動フィン１７ｃが設けられている。
【００２１】
この天井埋込型空気調和装置では、送風用モータ１４を駆動させてファン１３を回転させると、室内の空気が吸込グリル１９、エアフィルタ１８を通じて吸込口１７ａから吸い込まれ、導風板５に案内されてファン１３に吸入され付勢される。次いで、付勢された空気は熱交換器１２を吹き抜ける過程で冷却または加熱され、所望の状態に調和されて吹出口１７ｂから室内に吹き出されるようになっている。
【００２２】
上記の天井埋込型空気調和装置には、エアフィルタ１８の交換や吸込グリル１９の清掃を簡単に行えるように、吸込グリル１９をワイヤで吊り下げて昇降させる巻上機構２０が設けられている。図２に示すように、天井パネル１７には正逆転可能なモータ２１が固定されており、各モータ２１のシャフトに固定されたプーリ２２にワイヤ２３が巻回され、さらにワイヤ２３の先端が吸込口１７ａの四隅の１箇所に設けられたガイド穴２４ａ、吸込グリル１９の四隅の隣り合う２箇所に設置されたガイド穴２４ｂ，２４ｂに順に通され、さらにガイド穴２４ａに隣り合う吸込口１７ａの四隅の１箇所に固定されている。そして、ワイヤ２３を巻き上げることで吸込グリル１９を上昇させて吸込口１７ａに填め込み、ワイヤ２３を送り出すことで吸込グリル１９を吸込口１７ａから外して降下させるようになっている。
【００２３】
吸込グリル１９側のガイド穴２４ｂは、吸込グリル１９に着脱可能なガイド部材２５に形成されている。ガイド部材２５は、図３に示すように、吸込グリル１９の四隅の隣り合う２箇所に設けられた填込み部２６に、両設置箇所を通る直線ｌに沿って外側から填め込まれている。
【００２４】
填込み部２６は、吸込グリル１９の裏面側に突出した一対のレール２７，２７によって形成されている。これらレール２７，２７は直線ｌ方向に配設されており、その間隔は一方の填込み部２６に近い内側で狭く、外側で広くなるように形成されている。
【００２５】
ガイド部材２５は中央にガイド穴２４ｂが形成された円形で、図４に示すようにの溝が形成されて縮径部２５ａが設けられている。ガイド部材２５は、縮径部２５ａを填込み部２６のレール２７，２７間の拡幅部２７ａに外側から挿入するようにして填め込まれている。このように、両ガイド部材２５，２５は各填込み部２６に対して外側から填め込まれて係止され、互いに接近し合う方向および吸込グリル１９から離脱する方向への移動を阻止されている。なお、縮径部２５ａの直径はレール２７，２７間よりもやや大きめに設定されており、この縮径部２５ａが填込み部２６の中央に形成された同径の填合せ部２７ｃに合致することで所定位置に保持されるようにもなっている。
【００２６】
また、ガイド部材２５には縮径部２５ａから突出する突起部２８が設けられている。この突起部２８は、ガイド部材２５を填込み部２６に正しく填め込むことでレール２７，２７間の狭窄部（被嵌合部）２７ｂに嵌合されるようになっている。
【００２７】
さらに、ガイド部材２５には、填込み部２６に填め込まれたときに吸込グリル１９の裏面に立脚する脚部２９が設けられている。ガイド部材２５を填め込む際には、まず脚部２９を吸込グリル１９の裏面に立て、裏面を滑らせるようにすることで縮径部２５ａが正しくレール２７，２７間に挿入されるようになっている。
【００２８】
天井パネル１７には、図５に示すようにガイド穴２４ａと巻上機構２０との間でワイヤ２３を中継する中継ガイド部材３０が可撓性を有する弾性変形可能な軸部３１を介して取り付けられている。
【００２９】
巻上機構２０を構成するモータ２１は、図６に示すように、天井パネル１７と一体に形成されたモータケース３２に収納されるとともに、プーリ２２を覆うカバー３３を天井パネル１７に取り付けられることでカバー３３によりモータケース３２内で拘束されて天井パネル１７に固定されている。モータケース３２にはネジ穴３２ａが形成され、カバー３３にはネジ穴３２ａに対応してネジを挿通される小孔３３ａが形成されており、カバー３３は小孔３３ａを通してネジ穴３２ａにネジ３４を螺着することで天井パネル１７に取り付けられるが、このとき、モータ２１に設けた舌片３５の小孔３５ａをネジ穴３２ａに一致させ、モータケース３２とカバー３３とで舌片３５を挟むことでモータ２１を拘束しているのである。
【００３０】
図７に示すように、モータ２１のシャフト２１ａはＤ形断面形状をなしており、その先端部にはその周面に溝（凹部）３６が形成されている。また、プーリ２２の中心にはシャフト２１ａを挿嵌される孔３７が形成されるとともに孔３７には挿嵌されたシャフト２１ａの溝３６に嵌入する弾性変形可能な係止爪３８が設けられている。そして、プーリ２２は孔３７にシャフト２１ａを挿嵌され、溝３６に係止爪３８が嵌入されてシャフト２１ａに固定されている。
【００３１】
上記のように構成された天井埋設型空気調和装置においては、ガイド穴２４ｂを設けたガイド部材２５を吸込グリル１９に着脱可能としたことにより、吸込グリル１９をワイヤ２３から外すことができ、清掃作業が簡単に行える。また、室内ユニットの据付時において、吸込グリル１９を別にしてキャビネット１１の据付作業を実施し、その後吸込グリル１９をワイヤ２３に取り付けれるようにすれば、据付作業の作業性も向上する。
【００３２】
ガイド部材２５については、各填込み部２６に対して外側から填め込まれて係止され、互いに接近し合う方向および吸込グリル１９から離脱する方向への移動を阻止されているため、吸込グリル１９をワイヤ２３で吊持すると、ワイヤ２３に作用する張力により各ガイド部材２５にはこれを吸込グリル１９から離脱させようとする力とお互いを接近させようとする力とが働くので、この２つの力によりガイド部材２５の移動が阻止されて吸込グリル１９に強固に固定され、外れ難くなる。
【００３３】
しかも、ガイド部材２５に設けた突起部２８とレール２７，２７間の狭窄部２７ｂとを正しく組み合わせなければガイド部材２５が填込み部２６に填め込めないようになっているので、ガイド部材２５を組み付ける際の誤りが防止できる。
【００３４】
また、ガイド穴２４ａと巻上機構２０との間にワイヤ２３を中継する中継ガイド部材３０を軸部３１を介して取り付けたことにより、ワイヤ２３を巻き上げまたは送り出す際に軸部３１がダンパとして働いて張力が一定に保たれ、ワイヤ２３の緩みが防止されて吸込グリル１９の昇降動作が円滑に行えるようになる。また、軸部３１の長さを適当な長さに設定することでワイヤ２３をプーリ２２に偏りなく巻き取らせるようにすることも可能となる。
【００３５】
さらに、モータ２１をモータケース３２に収納し、プーリ２２を覆うカバー３３によりモータケース３２内で拘束して室内ユニットに固定することにより、モータ２１の固定部の構造が単純化されて部品点数の削減や組み立て作業の簡略化が図れる。
【００３６】
加えて、モータ２１のシャフト２１ａをプーリ２２側の孔３７に挿嵌しシャフト２１ａ側の溝３６に係止爪３８を嵌入させることでシャフト２１ａにプーリ２２を取り付けることが可能であり、実際の作業としては孔３７にシャフト２１ａを挿嵌させるだけで組み立てが完了するので、部品点数の削減や組み立て作業の簡略化が図れる。また、プーリ２２の脱着も容易に行えるので、メインテナンス性も向上する。
【００３７】
なお、本実施形態においてはモータ２１は天井パネル１７に固定されているが、これに限らず、例えばモータ２１はキャビネット１１等、室内ユニットを構成するその他の部材に固定されていても構わない。
【００３８】
【発明の効果】
以上説明したように、本発明に係る請求項１記載の天井埋設型空気調和装置によれば、ガイド穴を吸込グリルに着脱可能なガイド部材に設けたことにより、吸込グリルをワイヤから外すことができるので、清掃作業を簡単に行うことができる。また、室内ユニットの据付時において、吸込グリルを別にしてキャビネットの据付作業を実施し、その後吸込グリルをワイヤに取り付けれるようにすれば、据付作業の作業性を向上させることができる。また、ガイド部材を、吸込グリルの異なる２箇所に形成された填込み部に該２箇所を通る直線に沿って外側から填め込み、各設置箇所において互いに接近し合う方向および吸込グリルから離脱する方向への移動を阻止されるように係止したうえで吸込グリルをワイヤで吊持すると、ワイヤに作用する張力により各ガイド部材にはこれを吸込グリルから離脱させようとする力とお互いを接近させようとする力とが働くので、この２つの力によりガイド部材の移動が阻止されて吸込グリルに強固に固定され、外れ難くなる。これにより、着脱可能なガイド部材をより確実に吸込グリルに固定して安全性を確保することができる。
【００３９】
請求項２記載の天井埋設型空気調和装置によれば、ガイド部材または填込み部のいずれか一方に突起部を設け、他方にはガイド部材を填込み部に填め込むことで突起部を嵌合される被嵌合部を設けることにより、突起部と被嵌合部とを正しく組み合わせなければガイド部材が填込み部に填め込めないようにすることが可能となる。これにより、ガイド部材を組み付ける際の誤りを防止することができる。
【００４０】
請求項３記載の天井埋設型空気調和装置によれば、ガイド部材と巻上機構との間でワイヤを中継する中継ガイド部材を弾性変形可能な軸部を介して取り付けることにより、ワイヤを巻き上げまたは送り出す際に軸部がダンパとして働いて張力が一定に保たれ、ワイヤの緩みが防止されるので、吸込グリルの昇降動作を円滑に行わせることができる。また、軸部の長さを適当な長さに設定することでワイヤを巻上機構に偏りなく巻き取らせ、ワイヤの緩みを防止することもできる。
【００４１】
請求項４記載の天井埋設型空気調和装置によれば、ワイヤの巻上機構を構成するモータを室内ユニットに設けられたモータケースに収納し、プーリを覆うカバーを室内ユニットに取り付けることで該カバーによりモータケース内で拘束して室内ユニットに固定することで、モータの固定部の構造を単純化して部品点数の削減や組み立て作業の簡略化を図ることができる。
【００４２】
請求項５記載の天井埋設型空気調和装置によれば、モータのシャフトをプーリ側の孔に挿嵌しシャフト側の凹部に係止爪を嵌入させることで、シャフトにプーリを取り付けることが可能であり、実際の作業としては孔にシャフトを挿嵌させるだけで組み立てが完了するので、部品点数の削減や組み立て作業の簡略化を図ることができる。また、プーリの脱着も容易に行えるので、メインテナンス性の向上も図れる。
【図面の簡単な説明】
【図１】  本発明に係る天井埋込型空気調和装置の実施形態を示す図であって、天井に設置される室内ユニットの側断面図である。
【図２】  室内ユニットに具備される吸込グリルの昇降機構を示す斜視図である。
【図３】  吸込グリルに設けられる填込み部へのガイド部材の取り付け方を示す斜視図である。
【図４】  同じく、填込み部へのガイド部材の取り付け方を示す斜視図である。
【図５】  天井パネル側のガイド穴と巻上機構との間に設けられる中継ガイド部材の配置を示す斜視図である。
【図６】  天井パネルへの巻上機構の取り付け方を示す分解斜視図である。
【図７】  モータのシャフトへのプーリの取り付け方を示す側断面図である。
【図８】  従来の天井埋込型空気調和装置における室内ユニットの側断面図である。
【図９】  従来の室内ユニットに具備される吸込グリルの昇降機構を示す斜視図である。
【符号の説明】
１７  天井パネル
１７ａ  吸込口
１９  吸込グリル
２０  巻上機構
２１  モータ
２２  プーリ
２３  ワイヤ
２４ｂ  ガイド穴
２５  ガイド部材
２６  填込み部
２７  レール
２８  突起部
２７ｂ  狭窄部（被嵌合部）
３０  中継ガイド部材
３１  軸部
３２  モータケース
３３  カバー
３６  溝（凹部）
３７  孔
３８  係止爪
ｌ  直線
【図１】
0003950268.tif 000002
【図２】
0003950268.tif 000003
【図３】
0003950268.tif 000004
【図４】
0003950268.tif 000005
【図５】
0003950268.tif 000006
【図６】
0003950268.tif 000007
【図７】
0003950268.tif 000008
【図８】
0003950268.tif 000009
【図９】
0003950268.tif 000010